(57)【要約】【課題】建造物や道路構造物の壁面や法面などの緑化に好適に用いることができる緑化構造体を提供する。【解決手段】垂直面や傾斜面を緑化する場合に、蘇苔類植物保持体の背面にマット状の保水材を設け、この保水材を複数に分割して上下に離間させておくことにより、重力による水分の偏在化を分割保水材内でとどめて最小限にすることができる。これにより、水分を緑化構造体全体に均一に長期間保持し、蘇苔類植物に継続的に水分を供給することができるので、発芽や生育を促進することができ、蘇苔類植物が仮死することなく、ヒートアイランド現象の緩和や大気浄化機能などの緑化資材の機能を良好に発揮することができる。【選択図】      図１
2005000009.tif 000002
【特許請求の範囲】
【請求項１】
蘇苔類植物が保持された蘇苔類植物保持体と、前記蘇苔類植物保持体の背面に設けられたマット状の保水材とを有し、前記保水材は複数に分割され、各分割保水材は平面上に互いに離間されて設けられたことを特徴とする緑化構造体。
【請求項２】
垂直面または傾斜面に設置される緑化構造体であって、前記分割保水材は上下に離間されたことを特徴とする請求項１に記載の緑化構造体。
【請求項３】
前記分割保水材は、上下方向の長さが１２０ｍｍ以下であることを特徴とする請求項２に記載の緑化構造体。
【請求項４】
前記蘇苔類植物保持体は、２枚のシートの間に蘇苔類植物が挟持されるとともに人工芝葉状体が植設されたものであることを特徴する請求項１〜３のいずれか１項に記載の緑化構造体。
【請求項５】
シートの少なくとも１方は、水溶性繊維と非水溶性繊維とを備えたシートであることを特徴とする請求項４に記載の緑化構造体。
【請求項６】
前記蘇苔類植物保持体は、２つの繊維集合体の間に蘇苔類植物を挟み、機械的絡合手段により前記２つの繊維集合体をその繊維同士を部分的に絡ませて積層一体化するとともに、該積層体に人工芝葉状体を植設したものであることを特徴とする請求項１〜３のいずれか１項に記載の緑化構造体。
【発明の詳細な説明】
【０００１】
【発明の属する技術分野】
本発明は、建造物や道路構造物等の壁面や法面等を蘇苔類植物を用いて緑化するための緑化構造体に関するものであって、長期に渡って湿潤状態を維持させることができ、蘇苔類植物の発芽率を著しく向上させることができる緑化構造体に関するものである。
【０００２】
【従来の技術】
近年、都市部や道路周辺部では、ヒートアイランド現象対策や環境保全等の目的で、特に緑化が望まれている。植物による緑化効果は、ヒートアイランド現象の緩和や外観により安らぎ感を与えるだけでなく、大気汚染物質の吸収や二酸化炭素の固定化などの効果もあるとされている。
【０００３】
都市部や道路周辺部では、緑化できる場所が限られており、建造物の屋上や壁面、道路構造物の壁面や法面などを有効に利用して緑化していく必要がある。これらの場所を樹木や芝生等を用いて緑化する場合、土壌の整備や灌漑設備の整備、定期的な手入れなど様々な課題があり、制約条件も多く、施工も大掛かりになるともに初期費用や維持費用もかかる。
【０００４】
これらの解決方法として、蘇苔類植物を用いて緑化を行う提案が近年なされている。蘇苔類植物は自重も軽く、殆ど土壌を必要としないだけでなく、保水性が高いためヒートアイランド現象の緩和に効果的であり、屋上や壁面を緑化する植物として、非常に適している。また、光合成の効率も樹木や芝生と大差ないものであり、炭酸ガスの固定化にも高いレベルで貢献できる。また、蘇苔類植物は乾燥状態が続いても仮死状態となるだけで枯死することがなく、降雨などにより再度水が与えられると再生するなど、生命力も強い。
【０００５】
これらの蘇苔類植物の特性を活用し、緑化に用いるべく種々の発明が提案されてきており、シート状やマット状に蘇苔類植物を保持した担持体や、蘇苔類植物を含有した塗料を壁面や法面に吹き付けるといった方法が提案されてきている。（例えば特許文献１、２）
【０００６】
一方、蘇苔類植物は水分が少なくても枯死することがないが、全く水分がない状態では生育することができず、光合成も十分に行われないので、緑化資材としての機能を十分に果たすことができない。したがって適度な水分を保つことが必要である。その保水方法として考えられるのは、保水性の部材を植物の背面に取付け、雨水等で溜まった水を長期的に保持して、徐々に生育に用いる方法が挙げられる。保水性の部材を緑化植物の背面に取り付けてパネル化したものには、例えば、特許文献３、４などがある。
【０００７】
【特許文献１】
特開平７―２２７１４２号公報
【特許文献２】
特開平７―２２７１４３号公報
【特許文献３】
特開２００１−３２０９６８号公報
【特許文献４】
特開２００２−７７号公報
【０００８】
【発明が解決しようとする課題】
しかしながら、垂直面や傾斜面を緑化する際に、その背面に保水性の部材を取り付ける場合、保水性の部材に吸水されている水分は、重力の影響により、保水性部材の下方に溜まる傾向がある。水分が供給された直後は、保水性部材全体に水分が行き渡っているが、時間の経過とともに、水分は下方に移行し、上部は水分がなく乾いた状態になってしまう。このような状態では、保水材の上方に位置する植物には水分が常時行き渡らず、表面の蘇苔類植物も全体に均一に生育することができず、また、植物の生育に時間を要してしまう。また、水分が保水性部材の一部に偏ることで、水分の蒸発速度が速くなり保水時間も短くなる。その結果、蘇苔類植物が緑化資材として機能する期間が短くなり、発芽や生育が抑制されてしまう。
【０００９】
そこで本発明は上記の如き問題点に鑑みてなされたものであり、建造物や道路構造物等の壁面や法面等の垂直面および傾斜面に適用できる蘇苔類植物を用いた緑化構造体であって、植物全体に均一に水分が行き渡り、長期にわたって保水可能な保水性能を持つことで、従来の蘇苔類を用いた緑化資材に比べて、発芽や生育を促進させるとともに緑化資材としての機能を良好に発揮させることのできる緑化構造体を提供せんとするものである。
【００１０】
【課題を解決するための手段】
上記目的を達成するために、本発明は次のような構成としている。すなわち、蘇苔類植物が保持された蘇苔類植物保持体と、前記蘇苔類植物保持体の背面に設けられたマット状の保水材とを有し、前記保水材は複数に分割され、各分割保水材は平面上に互いに離間されて設けられたことを特徴とするものである。
【００１１】
本発明によれば、蘇苔類植物が蘇苔類植物保持体に保持されており、その蘇苔類植物保持体の背面にマット状の保水材が設けられることによって、降雨や灌水などにより緑化構造体に与えられた水を長期にわたって保水材に保持することができ、降雨や灌水の無い期間においても蘇苔類植物に継続的に水分を供給することができる。
【００１２】
また、蘇苔類植物保持体の背面に設けられたマット状の保水材を複数に分割させ、互いを離間させておくことにより、水分を緑化構造体全体に均一に保持することができる。これは、例えば傾斜などの要因により、一つの保水材の中で水分の存在の偏りが生じた場合、面積の大きい保水材を用いていると、その保水材の中で大きな水分の存在の偏りができてしまい、水分の存在する領域と存在しない領域がはっきりと別れてしまう。水分の存在が偏ると、当然のことながら蘇苔類植物への水分補給も偏り、水分が存在しない保水材の上部は発芽が期待できずその生育もまばらになってしまう。また、水分がなくなると蘇苔類植物は仮死状態となり、枯死することはないが、緑化資材としての機能が極端に低下してしまう。
【００１３】
マット状の保水材を分割してそれぞれ独立にしておけば、水分の偏りは、その独立した保水材の中だけで起こるため、水分の偏在が小さくなり、緑化構造体全体に均一に水分がを保持することができる。
【００１４】
また、垂直面または傾斜面に設置される緑化構造体であって、前記分割保水材は上下に離間されたことを特徴とするものである。
【００１５】
前記の保水材内の水分の偏在化は、垂直面や傾斜面で特に顕著になる。すなわち、重力により水分は、保水材の下端に集まる傾向があり、水分が偏在化しやすい。したがって、保水材を複数に分割し、その分割方向を上下方向とし、それぞれを独立とすることで、重力による水分の偏りを分割保水材内でとどめることができ、緑化構造体全体の水分の偏在化を最小限とすることができ、全体をほぼ均一に保水することができる。
【００１６】
また、前記分割保水材は、上下方向の長さが１２０ｍｍ以下であることを特徴とするものである。
【００１７】
垂直面や傾斜面に設置された保水材に保持されている水分は、その保水材の材質にもよるが、重力によって下端からおおよそ１００ｍｍ程度までの場所に偏在化しやすい。これは下端に溜まった水が毛細管現象などにより保水材を伝って上方に伝わる距離が１００ｍｍ程度であるためである。したがって、水分が行き渡る上下方向の長さを１２０ｍｍ程度にしておけば、保水材全体に水分をほぼ行き渡らせることができる。
【００１８】
また、分割保水材は、上下方向に小さく分割しておくほど全体の保水能力は向上し、緑化構造体全体を均一に保水させることができるため、さらに好ましくは、前記分割保水材の上下方向の長さを４０ｍｍ以下にするとよい。また、大量の水分が供給された場合は、過剰な水分は下端から下方に流出し、下方にある別の保水材に供給されることになる。
【００１９】
それぞれの保水材の離間部は、空間となっていてもよいし、水分を通さない材質のものを挿入してあってもよい。ただし、水分を通さない材質のものを挿入する場合は、離間部の少なくとも一部に水分が通ることのできる空間を設けておくとよい。このような水分の通り道を設けておけば、上部にある保水材に過剰な水分が供給された場合に、下方の保水材にその過剰の水分を供与することができる。
【００２０】
また、前記蘇苔類植物保持体は、２枚のシートの間に蘇苔類植物が挟持されるとともに人工芝葉状体が植設されたものであることを特徴するものである。
【００２１】
本発明によれば、まず２枚のシートの間に蘇苔類植物を挟み込むことにより、蘇苔類植物をシート状に担持し、さらにこれに太陽光の入射が妨げられない程度に人工芝葉状体を植設することで、蘇苔類植物保持体を形成する。
【００２２】
蘇苔類植物を挟持するシートは、太陽光や空気、水などを十分に通すものであって、蘇苔類植物の生育を阻害するものでなければ特に限定されるものではなく、繊維シート、紙シート、樹脂シートなどであってもよい。特に繊維シートは好適であり、繊維の隙間から太陽光や水、空気などが供給され、その繊維の隙間から蘇苔類が良好に生育することができる。
【００２３】
また蘇苔類植物保持体に人工芝葉状体が蘇苔類植物保持体を貫くように植設されていることで、蘇苔類植物をシート間に強固に挟み込むことができ、シートの剥がれ、蘇苔類植物の脱落や偏りを防ぐことができる。また人工葉状体が取り付けられていることによって、外観を植物様にすることができ、外観を向上させることができる。特に、蘇苔類植物保持体の施工初期においては、蘇苔類植物は、生育が十分でないため、このように人工芝葉状体を植設することによって、施工初期から外観上も生き生きとした緑化資材を提供することができる。また、人工芝の葉状体が表面に林立していることによって、あたかも防風林のように蘇苔類植物を風雨などから保護する効果もあり、また踏み付けなどからの保護にもなる。
【００２４】
また、表面に林立している人工芝は、蘇苔類植物の生育を助ける役割も果たすことができる。林立した人工芝が表面層の空気を滞留させ、水分の蒸発を抑えて乾燥を遅くすることができたり、降雨による水を林立した人工芝で効率よく受け止めたり、水を保持することもできるため、蘇苔類植物の湿潤状態を長時間保持することができる。これにより、発芽率が向上し、また生育を促進することができる。
【００２５】
また、シートの少なくとも１方は、水溶性繊維と非水溶性繊維とを備えたシートであることを特徴とするものである。
【００２６】
シートに水溶性繊維を含ませておけば、蘇苔類植物が脱落し易い配置初期等において、シートが適度に水分を含んだ際に発現する粘着性により、蘇苔類植物がシートから脱落するのを防止することができる。また、水溶性繊維と非水溶性繊維とを含んだシートを、上面側に使用すれば、上記のようにその粘着性で脱落防止効果があるとともに、水溶性繊維を含ませているので、雨等で水溶性物質が完全に流されてしまっても、蘇苔類植物の表面にシート状に繊維が若干残り、蘇苔類植物の脱落を長期に渡り防ぐことが出来る。この時、繊維シートから水溶性繊維が消失しているので、繊維の目が適度に粗くなり、蘇苔類植物がシートの網目を通りやすくなっており、蘇苔類植物の生育を妨げない。
【００２７】
ここで用いる水溶性物質はポリビニルアルコール（ＰＶＡ）が、好適である。ポリビニルアルコールは、水溶したときに中性を示し、蘇苔類植物の生育に害を与えることが無い。
【００２８】
また、前記蘇苔類植物保持体は、２つの繊維集合体の間に蘇苔類植物を挟み、機械的絡合手段により前記２つの繊維集合体をその繊維同士を部分的に絡ませて積層一体化するとともに、該積層体に人工芝葉状体を植設したものであることを特徴とするものである。
【００２９】
２つの繊維集合体との間に蘇苔類植物を挟み込み、機械的絡合手段によって、繊維集合体の繊維同士を絡めて、その間に蘇苔類植物を固定することで、蘇苔類植物を積層一体化させて、積層体を形成することができる。このようにすれば、接着剤や粘着剤などを用いる必要もなく、また糸を用いて縫製などにより固定することもなく、蘇苔類植物が均一に分散した積層体を形成することができる。接着剤などを用いる必要がないため、薬剤から出る成分が蘇苔類植物に悪影響を及ぼす心配もなく、接着剤自身が立体的障害となったり植物どうしが接着されたりして生育が阻害される懸念もない。また、繊維以外に植物を留める糸なども必要ないことから工程が簡略となる。
【００３０】
機械的絡合手段としては、ニードルパンチや水流絡合等の手段が挙げられ、繊維同士を部分的に絡ませることができれば特に限定されるものではないが、乾燥工程を必要としないニードルパンチによる絡合が好適に用いられる。蘇苔類植物は、繊維集合体の細かい繊維が絡みながら緻密に固定されており、その脱落を良好に防ぐことができるとともに、植物の自由度も高いため、生育を阻害することがない。
【００３１】
また、前記積層体には人工芝葉状体が植設されており、外見を人工芝生のように見せることができる。また、人工芝葉状体を積層体を貫くように植設しており、積層体を強固に結合させておくことができる。さらに、人工芝が取り付けられていることによって、外観を植物様にすることができ、さらに外観を向上させることができる。また、人工芝が表面にあることによって、あたかも防風林のように蘇苔類植物を風雨などから保護する効果もあり、また踏み付けなどからの保護にもなる。
【００３２】
また、表面に林立している人工芝は、蘇苔類植物の生育を助ける役割も果たすことができる。林立した人工芝が表面層の空気を滞留させ、水分の蒸発を抑えて乾燥を遅くすることができたり、降雨による水を林立した人工芝で効率よく受け止めたり、水を保持することもできるため、蘇苔類植物の湿潤状態を長時間保持することができる。これにより、発芽率が向上し、また生育を促進することができる。
【００３３】
【発明の実施の形態】
本発明に係わる実施の形態について、図面に基づき以下に具体的に説明する。図１は、本発明の緑化用構造体の実施形態の一例を示した概略図である。
【００３４】
図１では垂直壁面２０に、蘇苔類植物保持体１１とマット状の保水材１２とから構成された緑化構造体１０が取り付けられており、保水材１２は前記蘇苔類植物保持体の背面、すなわち蘇苔類保持体１１と壁面２０の間に設けられている。また、保水材１２は複数に分割され、各分割保水材は平面上に互いに離間されて設けられている。
【００３５】
図２は、緑化構造体を真上面から見た図であり、蘇苔類植物保持体の背面に設けられたマット状の保水材１２の位置を示した説明図である。図２ａでは、横方向に細長い直方体状のマット状の保水材が上下方向Ａに離間されて設けられている。離間部３１は空間となっており、その間隔は特に限定されるものではないが、大きすぎるとその部分の蘇苔類植物に水が行き渡らないことから、１ｍｍ〜１０ｍｍ程度とするのがよい。
【００３６】
また、図２ｂでは、横方向に細長い直方体状のマット状の保水材が上下方向Ａに離間されて設けられており、その離間部３１には、水を通さない材質のスペーサー３２を挿入している。スペーサーは、水を通さないものであれば特に限定されるものではなく、樹脂製や金属製のブロック状やプレート状ものが好適に用いられる。また、この離間部に挿入するスペーサーは、離間部全体に挿入されるのではなく、その一部を水分が通るように空間３３をあけている。図２では、スペーサー３２と空間部３３が、一段毎に互い違いの位置になるようになされている。
【００３７】
本発明に用いる保水材の材質は水分を吸収するとともに水分を維持することのできるものであれば特に限定されるものではないが、例えば、ＰＥＴ樹脂等の樹脂製保水材、砂利や砂等の粒子状物質、グラスウールや合成繊維などの繊維状物質、シリカゲルや活性炭やゼオライトのような多孔質体、吸水性ポリマー、ポリウレタンフォーム、ポリエチレンフォーム、ゴム製スポンジ、ポロン等が好適に用いられる。
【００３８】
保水材の厚さは、５ｍｍ〜１００ｍｍ程度がよく、これ以上薄いと、保水能力が小さいため蘇苔類植物の生育に十分な保水をすることができない。逆に上記範囲よりも厚いと、保水材の厚み方向で水分の偏在化が起こってしまい、表面まで水分が行き渡らないため、有効に水分が蘇苔類植物に供給されない。
【００３９】
また、図３は、緑化構造体を構成する蘇苔類植物保持体の形態の一例を示した説明図である。また図４には、図３の蘇苔類保持体の断面図を示したものである。不織布シート４１、４３との間に、適度に裁断された蘇苔類植物４２が挟持され、蘇苔類植物を挟持した２枚のシートを貫くように人工芝葉状体４４が植設されている。
【００４０】
蘇苔類植物を挟持するシートは、不織布シートに限ったものではなく、太陽光や空気、水などを十分に通すものであって、蘇苔類植物の生育を阻害するものでなければよく、織布シート、紙シート、樹脂シートなどであってもよい。また、上面に被せるシートを水溶性繊維と非水溶性繊維とからなるものにしておいてもよい。
【００４１】
また、用いられる蘇苔類植物は、特に限定されるものではなく、設置場所によって使い分けるとよい。蘇苔類には大きく分けて、好日性、半日陰性、日陰性のものがあり、それぞれ生育に太陽光が必要なもの、太陽光があまり必要でないもの、太陽光が不要なものがある。例えば、設置方向の関係で太陽光が当たらない場所や、当たりにくい場所には、日陰性、半日陰性の蘇苔類植物を用いると良い。また、凸部の下向き斜面など、部分的に日が当たらないような設置場所においても、上向き面には、好日性のものを用い、下向き斜面には日陰性や半日陰性のものを用いればよい。例えば、スナゴケ、ハイスナゴケ、ハイゴケ等は、太陽光が当たるところで用いるとよく、シッポゴケ、カモジゴケ、トヤマシノブゴケ、ヒノキゴケ等は、日陰で用いるのがよい。
【００４２】
また、人工芝を形成するための樹脂体に用いられる樹脂は、特に限定されるものではないが、例えば、ポリプロピレン、ポリエチレン、ナイロン、ポリ塩化ビニリデン、ポリアミド、ＥＶＡ樹脂などが好適に用いられる。これらの樹脂からなる偏平な直毛状のモノフィラメント糸やスプリット糸を植設することによって、人工芝が形成される。
【００４３】
また、人工芝葉状体は生分解性樹脂からなるものを用いることもできる。人工芝を形成する材料に生分解性を有するものを用いれば、蘇苔類植物が十分に発育したときに、人工芝が消滅するようにすることもできる。蘇苔類植物が十分に発育すれば、人工芝の役割である美観性の維持や蘇苔類植物の保護、蘇苔類植物の保持などが不要になるため、このように生分解性を保持させておくとよい。
【００４４】
また、図５は、緑化構造体を構成する蘇苔類植物保持体の別の形態の一例を示した説明図であり、図６は、その断面図を示したものである。繊維集合体である不織布シート５１上に蘇苔類植物５２を載置し、さらにその上にワタ状の繊維の集合体である繊維ウェッブ５３を載置して、ニードルパンチングを行うことで上下の繊維シート５１と繊維ウェッブ５３の繊維を互いに絡め合わせて、蘇苔類植物保持体とした。さらにこの蘇苔類植物保持体を貫くように人工芝葉状体５４を植設した。
【００４５】
繊維ウェッブは、ワタ状の繊維のかたまりであって、繊維と繊維のすき間が多い。この繊維ウェッブをニードルパンチのような機械的絡合手段で押し込めば、繊維の一本一本が内部に侵入しやすく、また絡まりやすいため、比較的少ない量で好適に蘇苔類植物を固定することができる。また、すき間が大きく、繊維の使用量も比較的少ないので、蘇苔類植物の生育を阻害しにくいとともに、生育に必要な太陽光も内部の蘇苔類植物まで行き届く。
【００４６】
繊維集合体は、上記のように不織布シートや繊維ウェッブに限定されるものではない。その材質や形態は、繊維からなるものであればよく、例えば、ポリエステル、ポリアミド、ポリオレフィン、アクリル、セルロース、ポリウレタン、芳香族ナイロン、ポリベンズイミダゾール、ノボロイド等の合成繊維やそれらの複合繊維、アセテート等の半合成繊維、キュプラ、レーヨン等の再生繊維、絹、綿、羊毛等の天然繊維、またはそれらの混合繊維等からなる織布や不織布等のシート状のもの、繊維ウェッブ状のものを組み合わせて用いることができる。また、生分解性の樹脂繊維や、ポリビニルアルコールのような水溶性繊維を用いたり、上記繊維に混合して用いても良い。
【００４７】
本発明の緑化構造体の保水効果を以下の比較例および実施例にて示す。
【００４８】
（実施例１）
図３に示されるように２枚の不織布シートの間に適度に裁断された蘇苔類植物を挟持し、蘇苔類植物を挟持した２枚のシートを貫くように人工芝葉状体が植設された１辺が３４０ｍｍの正方形状の蘇苔類植物保持体の背面部に、マット状の保水材を取り付けた。この緑化構造体は垂直に保たれている。保水材は、厚さ１０ｍｍ、上下方向の長さが３２ｍｍ、幅３４０ｍｍのＰＥＴ樹脂製保水材１０枚を、図２ａのように並べた。このとき離間部を２ｍｍとした。
【００４９】
（実施例２）
実施例１と同様の蘇苔類植物保持体の背面部に、マット状の保水材を取り付けた。この緑化構造体は実施例１と同様に垂直に保たれている。保水材は、厚さ１０ｍｍ、上下方向の長さが１１０ｍｍ、幅３４０ｍｍのＰＥＴ樹脂製保水材３枚を、実施例１と同様に並べた。このとき離間部は２ｍｍとした。
【００５０】
（実施例３）
実施例１と同様の蘇苔類植物保持体の背面部に、マット状の保水材を取り付けた。この緑化構造体は実施例１と同様に垂直に保たれている。保水材は、厚さ１０ｍｍ、上下方向の長さが３２ｍｍ、幅３４０ｍｍのＰＥＴ樹脂製保水材１０枚を、図２ｂのように、離間部に水分を通さない樹脂製の挿入材を互い違いになるように挿入して並べた。このとき離間部は２ｍｍとした。
【００５１】
（比較例１）
実施例１と同様の蘇苔類植物保持体の背面部に、マット状の保水材を取り付けた。この緑化構造体は実施例１と同様に垂直に保たれている。保水材は、実施例１、２と同様の材質のものを用いており、厚さ１０ｍｍ、上下方向の長さが３２０ｍｍ、幅３４０ｍｍのもの１枚を蘇苔類植物保持体の背面に取り付けた。
【００５２】
（比較例２）
実施例１と同様の蘇苔類植物保持体の背面部に、マット状の保水材を取り付けた。この緑化構造体は実施例１と同様に垂直に保たれている。保水材は、厚さ１０ｍｍ、上下方向の長さが３２ｍｍ、幅３４０ｍｍのＰＥＴ樹脂製保水材１０枚を図２ｂのように並べ、図２ｂの水分を通さない樹脂スペーサーの替わりに、離間部に保水材と同一の材質の水分を通す挿入材を互い違いになるように挿入して並べた。このとき離間部は２ｍｍとした。
【００５３】
（比較試験）
上記の実施例１、２と比較例１、２に示した緑化構造体の重量を予め測定しておく。これらの実施例および比較例に十分に水をかけたのち、水が切れるまで放置して、重量を測定し、これを散水直後の重量とした。次に、これらを垂直のまま２４時間放置し、再び重量を測定した。これを２４時間後の重量とした。
【００５４】
初期の重量と散水直後の重量、２４時間放置後の重量から、緑化構造体の散水直後の含水量と２４時間放置後の含水量を計算した結果を表１に示す
【００５５】
（表１）
2005000009.tif 000003
【００５６】
比較例１、２では、初期において既に大量の水分が保水材から流出してしまい、全体の保水量が少ない。また、緑化構造体の上方の約３分の２にはほとんど水分が残っておらず、水分が下端へ偏っていた。実施例１〜３では、緑化構造体全体均一に水分が保持されていた。
【００５７】
本発明の緑化構造体は、特にその用途を限定するものではないが、例えば建造物の屋根や庇、壁面に設置したり、道路周辺の法面や壁体、防音壁や壁高欄、高架道路の橋脚、中央分離帯、歩車道分離帯、堀割道路の壁面などに取り付けてもよいし、自転車やバス停などのシェルター屋根に取り付けることもできる。
【００５８】
【発明の効果】
本発明によれば、蘇苔類植物保持体の背面にマット状の保水材が設けられ、保水材を複数に分割させ、互いを離間させておくことにより、水分を緑化構造体全体に均一に長期間保持し、蘇苔類植物に継続的に水分を供給でき、その発芽や生育を促進した緑化構造体を提供することができる。
【００５９】
本発明の緑化構造体は、特に建造物や道路構造物等の壁面や法面等の垂直面および傾斜面に好適であり、分割保水材を上下に離間させることで、重力による水分の偏在化を分割保水材内でとどめて最小限にし、全体的に水分が均一とすることができる。
【図面の簡単な説明】
【図１】本発明の緑化構造体の実施の一形態を示した概略図である。
【図２】本発明の緑化構造体を上面からみた図で、マット状の保水材の配置を示した説明図である。
【図３】本発明の緑化構造体に用いる蘇苔類植物保持体の実施の形態の一例を示した説明図である。
【図４】本発明の緑化構造体に用いる蘇苔類植物保持体の実施の形態の一例を示した断面図である。
【図５】本発明の緑化構造体に用いる蘇苔類植物保持体の実施の形態の一例を示した説明図である。
【図６】本発明の緑化構造体に用いる蘇苔類植物保持体の実施の形態の一例を示した断面図である。
【符号の説明】
Ａ    上下方向
１０  緑化構造体
１１  蘇苔類植物保持体
１２  保水材
２０  壁面
３１  離間部
３２  スペーサー
３３  空間
４１  不織布シート
４２  蘇苔類植物
４３  不織布シート
４４  人工芝葉状体
５１  不織布シート
５２  蘇苔類植物
５３  繊維ウェッブ
５４  人工芝葉状体
【図１】
2005000009.tif 000004
【図２】
2005000009.tif 000005
【図３】
2005000009.tif 000006
【図４】
2005000009.tif 000007
【図５】
2005000009.tif 000008
【図６】
2005000009.tif 000009